(57)【特許請求の範囲】
【請求項１】
内容器部と、前記内容器部の外側に前記内容器部との間に空間を形成するように配置され、前記内容器部と固定された外容器部からなる２重構造容器であって、
前記内容器部は壁部、底部および、前記壁部の上端から外側に折り返された折り返し部からなり、前記外容器部は壁部および底部からなり、
前記折り返し部の下端は、内壁、外壁および底とからなり、断面が下方が開放された逆凹形状の溝部が形成され、
前記外容器部の壁部の上端は、前記溝部に挿入される先端部が形成され、前記先端部の上面は内側に上方に突出する突出部が形成され、
前記先端部を前記溝部に挿入し、前記突出部と前記溝部の底が当接した箇所に超音波溶着を行うこと、および、前記先端部と、前記溝部の外壁および底との間に生じる間隙に接着剤を流し込み、接着剤を硬化させることにより、前記内容器部の前記折り返し部の下端と、前記外容器部の壁部の上端が互いに接合されていることを特徴とする２重構造容器。
【発明の詳細な説明】
【技術分野】
【０００１】
本発明は、ピッチャー等に用いられる２重構造容器に関する。
【背景技術】
【０００２】
ビール等の飲料水を大量に収容し、必要に応じてジョッキやコップ等に飲料水を注ぐ容器として、例えば、ピッチャーが飲食店等では幅広く使用されている。ピッチャーのように、飲料水を収容する場合、収容した飲料水の温度を保つ方法の１つとして、２重構造の容器が用いられている。
【０００３】
２重構造の容器は一般的に、外容器部の中に内容器部を所定の間隔で配置し、内容器部と外容器部の間に断熱空間を設けたものであり、前記断熱空間を設けることにより、内容器部内に収容された冷たい飲料水等が温かくなるのを防ぐ効果がある。このような容器の一例として、特許文献１に記載されているようなピッチャーがある。
【先行技術文献】
【特許文献】
【０００４】
【特許文献１】特開２００８−２２９８９号公報
【発明の概要】
【発明が解決しようとする課題】
【０００５】
内容器部と外容器部の間に断熱空間を設けた２重構造とするためには、内容器部と外容器部を一体形成することは構造上難しいので、一般的には、内容器部と外容器部を個々に形成した後で、内容器部と外容器部を接合して固定する方法が用いられている。
【０００６】
内容器部と外容器部を固定する方法としては、超音波溶着、接着剤、あるいは嵌合等によって接合する方法が用いられる。例えば、引用文献１では、内容器部と外容器部を固定する部分に凹部と凸部を設けて嵌合し、接着剤で固定する方法が用いられている。しかしながら、引用文献１の場合、凹部と凸部の接着面に十分に接着剤が塗布されているかどうかを確認することができないので、時には接着不良が生じる場合があり接合強度に問題がある。また、単に内容器部と外容器部を固定する部分を突き合わせて接着剤等を用いて固定した場合には、接合部分を綺麗に仕上げなければ美観上の問題が生じる。
【０００７】
そこで、本発明は従来の問題を解決するために、内容器部と外容器部との接合部分が十分な強度を生じることができるピッチャー等の２重構造容器を提供することを目的とする。
【課題を解決するための手段】
【０００８】
本発明の２重構造容器は、内容器部と、前記内容器部の外側に前記内容器部との間に空間を形成するように配置され、前記内容器部と固定された外容器部からなる２重構造容器であって、前記内容器部は壁部、底部および、前記壁部の上端から外側に折り返された折り返し部からなり、前記外容器部は壁部および底部からなり、前記折り返し部の下端は、内壁、外壁および底とからなり、断面が下方が開放された逆凹形状の溝部が形成され、前記外容器部の壁部の上端は、前記溝部に挿入される先端部が形成され、前記先端部の上面は内側に突出部が形成され、前記先端部を前記溝部に挿入し、前記突出部と前記溝部の底が当接した箇所に超音波溶着を行うこと、および、前記先端部と、前記溝部の外壁および底との間に生じる間隙に接着剤を流し込み、接着剤を硬化させることにより、前記内容器部の前記折り返し部の下端と、前記外容器部の壁部の上端が互いに接合されていることを特徴とする。
【発明の効果】
【０００９】
本発明の２重構造容器は、内容器部と、前記内容器部の外側に前記内容器部との間に空間を形成するように配置され、前記内容器部と固定された外容器部からなる２重構造容器であって、前記内容器部は壁部、底部および、前記壁部の上端から外側に折り返された折り返し部からなり、前記外容器部は壁部および底部からなり、前記折り返し部の下端は、内壁、外壁および底とからなり、断面が下方が開放された逆凹形状の溝部が形成され、前記外容器部の壁部の上端は、前記溝部に挿入される先端部が形成され、前記先端部の上面は内側に突出部が形成され、前記先端部を前記溝部に挿入し、前記突出部と前記溝部の底が当接した箇所に超音波溶着を行うこと、および、前記先端部と、前記溝部の外壁および底との間に生じる間隙に接着剤を流し込み、接着剤を硬化させることにより、前記内容器部の前記折り返し部の下端と、前記外容器部の壁部の上端が互いに接合されていることにより、内容器部と外容器部が強固に固定された２重構造容器を実現する。
【図面の簡単な説明】
【００１０】
【図１】本発明の２重構造容器であるピッチャーの斜視図である。
【図２】ピッチャーの断面図である。
【図３】ピッチャーの内容器部と外容器部の接合部分の拡大断面図である。
【発明を実施するための形態】
【００１１】
本発明を、図を用いて以下に詳細に説明する。ここでは、２重構造容器として図１に示すようなピッチャー１を用いて説明する。図１が本発明の２重構造容器の一例であるピッチャー１の斜視図であり、図２がピッチャー１の断面図、図３が内容器部２と外容器部３との接合部分の拡大図である。
【００１２】
本発明の２重構造容器であるピッチャー１は、図１に示すように、飲料水を収容する内容器部２、前記内容器部２の外側に配置された外容器部３、および前記内容器部２に被せられる蓋４からなり、前記外容器部３は、前記内容器部２の外側に前記内容器部２との間に断熱空間を形成するように、前記内容器部２と固定された２重構造となっている。
【００１３】
前記内容器部２は、壁部５、底部６、前記壁部５の上端から外側に折り返され、前記壁部５と所定の間隔を有する折り返し部７、および、前記内容器部２に収容された飲料水を注ぐための注ぎ口８からなり、全てが一体形成されている。そして、前記外容器部３は、壁部９、底部１０および壁部９に設けられた取っ手１１からなり、全てが一体形成されている。前記蓋４は、前記内容器部２の上部を覆い、注ぎ口８の一部が開口となるように、前記内容器部２に取り外し可能に係合される。
【００１４】
前記内容器部２の壁部５と前記外容器部３の壁部９との間には所定の間隔が存在し、前記内容器部２の底部６と前記外容器部３の底部１０との間にも所定の間隔が存在するように、前記内容器部２の外側に前記外容器部３が配置され、前記内容器部２と前記外容器部３が接合されている。そして、前記内容器部２の壁部５と折り返し部７との間にも所定の間隔が存在するように前記内容器部２が形成されている。これにより、前記内容器部２と前記外容器部３の間には密閉された断熱空間が形成され、前記内容器部２に収容された冷たい飲料水が温かくなるのを防ぎ、温かい飲料水が冷めるの防ぐことができる。
【００１５】
前記内容器部２と前記外容器部３との固定は、前記内容器部２の折り返し部７の下端と前記外容器部３の壁部９の上端を２種類の接合方法を用いて接合することにより行われる。この接合部分について詳しく説明する。図３に示すのが、前記内容器部２の折り返し部７の下端と前記外容器部３の壁部９の上端が接合される接合部分を拡大したものである。
【００１６】
図３に示すように、前記内容器部２の折り返し部７の下端には、内壁１２、外壁１３および底１４とからなり、断面が下方が開放されたる逆凹形状の溝部１５が形成されている。そして、前記外容器部３の上端には、前記溝部１５に挿入される先端部１６が形成され、前記先端部１６の上面の内側の位置には突出部１７が形成されている。
【００１７】
前記先端部１６の前記溝部１５に挿入される部分の断面は、前記溝部１５の空間よりも小さく、前記溝部１５に前記先端部１６が挿入された時に、前記先端部１６と前記溝部１５は完全に密着して嵌合されるような大きさではなく、所定の隙間が生じる大きさとなっている。そして、前記溝部１５に前記先端部１６が挿入されると、前記先端部１６の上面に設けた突出部１７により、前記先端部１６の上面と前記溝部１５の底１４とは密着しないで所定の間隔が存在する。
【００１８】
このように、前記先端部１６を前記溝部１５の空間よりも小さくし、前記先端部１６に突出部１７を設けることにより、図３に示すように、前記溝部１５の内壁１２、外壁１３および底１４と、前記先端部１６との間には間隙が生じる。このような前記溝部１５と前記先端部１６の関係は、前記内容器部２の折り返し部７の下端と前記外容器部３の上端のそれぞれの全周に亘って形成されている。
【００１９】
前記間隙は、前記外壁１３と前記先端部１６の外面との間が０．４ｍｍ、前記内壁１２と前記先端部１６の内面との間が０．１６ｍｍ、前記底１４と前記先端部１６の上面との間が０．３ｍｍとなっている。これは一例であり、各間隙の寸法は容器の大きさ、接着剤の種類等に応じて適宜設定することができる。
【００２０】
前記先端部１６を前記溝部１５に挿入しただけでは、上述のように前記先端部１６を前記溝部１５の間には間隙があるために固定することはできない。そこで、超音波溶着と接着剤を用いて、前記先端部１６と前記溝部１５を接合することにより、前記内容器部２と前記外容器部３を固定する。
【００２１】
図３に示すように、前記先端部１６の突出部１７と前記溝部１５の底１４が当接している所（図３に符号１８で示す箇所）を、超音波溶着を用いて接合する。さらに、前記外壁１３と前記先端部１６の外面との間隙、および、前記底１４と前記先端部１６の上面との間隙に接着剤１９を流し込み、接着剤による接合を行う。
【００２２】
この時、前記底１４と前記先端部１６の上面との間隙に流し込まれた接着剤１９は、前記突出部１７によって堰き止められ、前記内壁１２と前記先端部１６の内面との間隙から断熱空間へと接着剤が流れ込むのを防ぐことができる。これにより、前記外壁１３と前記先端部１６の外面との間隙、および、前記底１４と前記先端部１６の上面との間隙に確実に接着剤１９が充填され、必要とされる接合強度が確保される。
【００２３】
このようにして、超音波溶着と接着剤を用いた２種類の接合により、前記折り返し部７の溝部１５と前記壁部９の先端部１６を接合することで、前記内容器部２と前記外容器部３は互いに固定される。その結果、前記内容器部２と前記外容器部３は、接合不良を生じることなく、互いに強固に固定され、使用中に接合部分が剥離することなく長期間安定してピッチャー１を使用することが可能となる。
【００２４】
前記蓋４は前記内容器部２と取り外し可能に係合されているが、図３に示すように、前記内容器部２と前記外容器部３の接合部分の外周面に段差が生じるのを利用して、前記蓋４が前記内容器部２に係合されている。前記内容器部２の折り返し部７の下端の外周面は前記溝部１５を設けたことにより、前記外容器部３の先端部１６の外周面よりも外側に位置しているので、前記内容器部２と前記外容器部３の接合部分の外周面に段差が生じている。
【００２５】
前記蓋４の内周面に設けた略半円形の断面を有するリブ２０を前記段差に係合させる。これにより、前記蓋４は前記内容器部２と係合される。前記リブ２０は断面が略半円形であることにより、スムーズに前記蓋４と前記内容器部２との係合を解除することができる。
【００２６】
このように、前記内容器部２と前記外容器部３との接合箇所の外周面に段差を設けることで、前記蓋４との係合に利用することもできる。また、前記内容器部２と前記外容器部３との接合箇所の外周面に段差が生じないようにして、平坦な外周面とすることも可能である。
【００２７】
本発明の２重構造容器として、ピッチャーを用いて説明してきたが、その他に、例えば注ぎ口の無いようなその他の容器等、様々な容器に利用することができる。
【符号の説明】
【００２８】
１    ピッチャー
２    内容器部
３    外容器部
４    蓋
５    壁部
６    底部
７    折り返し部
８    注ぎ口
９    壁部
１０  底部
１１  取っ手
１２  内壁
１３  外壁
１４  底
１５  溝部
１６  先端部
１７  突出部
１９  接着剤
２０  リブ
【図１】
0005616202.tif 000002
【図２】
0005616202.tif 000003
【図３】
0005616202.tif 000004